(57)【特許請求の範囲】
【請求項１】
左右方向に延在し且つ前記左右方向に延びる回動軸をもつ複数のスラットを上下方向に並設した巻き取り可能なシャッタカーテンと、一方向への回転に伴い前記シャッタカーテンを巻き取り、逆方向への回転に伴い前記シャッタカーテンを巻き下ろす巻取体と、前記巻取体を回転させる駆動機構と、複数の前記スラットを各々回転させ、開閉制御するスラット開閉機構と、を有するシャッタ装置において、
前記スラットは、上下に位置する前記スラット同士の上方と下方とが当接する直立状態から下端側が外側に回動して開状態、その反対方向に回動してほぼ前記直立状態である閉状態に至るように配設されており、前記閉状態近傍にあるときに、重心位置が前記回動軸より下方、且つ、外側に位置し、
前記シャッタカーテンは、前記スラットの左右両端に取り付けられ且つ前記スラットと一体的に動く樹脂キャップを有し、
前記樹脂キャップは前記スラットが閉じるときに上下方向に隣接する前記スラットに当接することに先駆けてそのスラットに取り付けられた前記樹脂キャップに当接するように配置されたことを特徴とするシャッタ装置。
【請求項２】
前記樹脂キャップは前記樹脂キャップ同士が当接した状態を保ったまま前記上下方向に相対移動可能であり、
前記スラットは、前記シャッタカーテンが閉じるときに前記シャッタカーテンの先端が開口の下端に当接して前記スラット同士の間の距離が縮むことで前記スラット同士が当接して完全閉状態に至る請求項１に記載のシャッタ装置。
【請求項３】
前記シャッタカーテンは、前記スラット毎の左右両端にそれぞれ取り付けられ且つ直列連結された複数の連結部材からなる線状体を有し、
前記回動軸は前記スラットの回動に連動して回動すると共に、前記スラットの左右両端に位置しており前記連結部材に回動自在に枢支されており、
前記連結部材と前記回動軸とは、両者の相対回転により前記スラットが前記直立状態であるときにそれ以上の前記反対方向への回動を制限するように干渉を生起する突起部と回転ストッパとの組み合わせをもつ請求項１又は２に記載のシャッタ装置。
【発明の詳細な説明】
【技術分野】
【０００１】
本発明は、シャッタカーテンを巻取体に巻き取ったり、巻取体からシャッタカーテンを巻き下ろしたりできる方式をもつシャッタ装置に関する。
【背景技術】
【０００２】
従来、左右方向に延在し、上下方向に並設された複数のスラットを巻き取り可能なシャッタカーテンと、シャッタカーテンを巻き取り且つ巻き下ろす巻取体と、巻取体を回転させる駆動機構とを有するシャッタ装置が開示されている（特許文献１，２）。
【０００３】
ところで、特許文献１及び２は、シャッタカーテンが巻き下ろされた状態で、各スラットを回動させて、各スラット間にすき間ができる開状態と、スラット間にすき間がなくなった閉状態とを作ることができる。これらのシャッタ装置では、必要に応じて各スラットに係合して回動させる機構をもつことで、シャッタカーテンが巻き上げ途中であってもスラットの開閉を行うことができるようにしている。そのため、シャッタカーテン巻き取り時や巻き下ろし時などスラットを開閉しないときにはスラットはそのままでは自由に回転してしまう。そこで、各スラットの閉状態を維持する為に、閉方向に常時付勢するスプリングが取り付けられている。
【先行技術文献】
【特許文献】
【０００４】
【特許文献１】特開２００５−６１１３８号公報
【特許文献２】特開２００８−８０３８号公報
【発明の概要】
【発明が解決しようとする課題】
【０００５】
しかしながら、スプリングで付勢するということは、少なくともスラットの枚数分のスプリングが部品として必要であり、各スラットにスプリングを取り付けるための工程も必須であったため、コストがかかる。
【０００６】
本発明は、上記実情に鑑みてなされたもので、部品点数や組み付け工数を低減してスラットが閉状態を維持することができるシャッタ装置を提供することを解決すべき課題とする。
【課題を解決するための手段】
【０００７】
上記課題を解決するための請求項１に係る発明の構成上の特徴は、左右方向に延在し且つ前記左右方向に延びる回動軸をもつ複数のスラットを上下方向に並設した巻き取り可能なシャッタカーテンと、一方向への回転に伴い前記シャッタカーテンを巻き取り、逆方向への回転に伴い前記シャッタカーテンを巻き下ろす巻取体と、前記巻取体を回転させる駆動機構と、複数の前記スラットを各々回転させ、開閉制御するスラット開閉機構と、を有するシャッタ装置において、
前記スラットは、上下に位置する前記スラット同士の上方と下方とが当接する直立状態から下端側が外側に回動して開状態、その反対方向に回動してほぼ前記直立状態である閉状態に至るように配設されており、前記閉状態近傍にあるときに、重心位置が前記回動軸より下方、且つ、外側に位置し、
前記シャッタカーテンは、前記スラットの左右両端に取り付けられ且つ前記スラットと一体的に動く樹脂キャップを有し、
前記樹脂キャップは前記スラットが閉じるときに上下方向に隣接する前記スラットに当接することに先駆けてそのスラットに取り付けられた前記樹脂キャップに当接するように配置されたことにある。
【０００８】
また請求項２に係る発明の構成上の特徴は、請求項１において、前記樹脂キャップは前記樹脂キャップ同士が当接した状態を保ったまま前記上下方向に相対移動可能であり、
前記スラットは、前記シャッタカーテンが閉じるときに前記シャッタカーテンの先端が開口の下端に当接して前記スラット同士の間の距離が縮むことで前記スラット同士が当接して完全閉状態に至ることである。
【０００９】
また請求項３に係る発明の構成上の特徴は、請求項１又は２において、前記シャッタカーテンは、前記スラット毎の左右両端にそれぞれ取り付けられ且つ直列連結された複数の連結部材からなる線状体を有し、
前記回動軸は前記スラットの回動に連動して回動すると共に、前記スラットの左右両端に位置しており前記連結部材に回動自在に枢支されており、
前記連結部材と前記回動軸とは、両者の相対回転により前記スラットが前記直立状態であるときにそれ以上の前記反対方向への回動を制限するように干渉を生起する突起部と回転ストッパとの組み合わせをもつことである。
【００１０】
完全閉状態とは、シャッタカーテンが巻き下ろされており、スラットが直立状態でスラット間の間隔が狭まるだけでなく、スラットが直立状態で更にスラットの上下端が上下に位置する別のスラットと係合又は当接することで、スラットが回動することができない状態のことである。
【発明の効果】
【００１１】
請求項１に係る発明においては、スラットが直立状態で、スラットの重心位置が回動軸より下方、且つ、外側に位置するため、スラットには重心位置の外側へのずれに起因して生じるモーメントによって、重心が回動軸の下方に移動しようとする方向、すなわち、重心より下方に位置するスラットの下端が内側に移動する方向である閉方向に常に付勢される。請求項１に係る発明によれば、スラットが常に閉方向に付勢されるため、スプリングは必要がなくなり、部品点数が低減できる。そして、スプリングを取り付ける工程も必要なくなり組み付け工数も低減できる。更には、スプリングの分、シャッタカーテンの重量が減少できる。
【００１２】
また、請求項１に係る発明においては、上下に位置するスラット同士で当接することで、スラットの自重によって内側に移動しようとする下端の移動を制限できるため、スラットの直立状態を維持することができる。また、先述したように、直立状態においては閉方向に付勢されるため、巻き取り時、巻き下ろし時などのスラットを操作しないときにおいてスラットをばたつかせたりすることが防止できる。
【００１３】
請求項３に係る発明においては、回動軸をスラットの回動に連動して動くように構成し、回動軸と連結部材との間に直立状態を超えて閉方向に移動できないような突起部と回転ストッパとをもうけることにより回動軸の回動を規制する。よって、回動軸の回動が規制されるため、連動するスラットの回動が規制され、スラットが直立状態を超えて閉方向に回動することが防止できる。
【００１４】
更に、請求項１に係る発明においては、スラットが回動して直立状態に至る際、スラット同士が当接する前に、樹脂製の部材である樹脂キャップが当接するように構成している。スラットは剛性及び防犯性向上を考慮し、金属製である場合が多い。そのため、スラットが開状態から閉状態に移行する際に、スラット同士が当接すると比較的大きな当接音が発生するが、樹脂製部材がスラットに先駆けて当接することで、金属同士の当接による当たり音を緩和することができる。そして、その後に樹脂キャップ同士が当接した状態を保ったままスラットを閉めることが可能である。
【図面の簡単な説明】
【００１５】
【図１】本実施形態に係るシャッタ装置の正面図である。
【図２】本実施形態に係るシャッタ装置のシャッタカーテンの一部を裏面から見た説明図である。
【図３】本実施形態に係るシャッタ装置のシャッタカーテンを構成するスラットと樹脂キャップ（ボス部）との関係（線状体が伸びており隣接するスラットの間に隙間が生じている状態）を示した概略断面図である。
【図４】本実施形態に係るシャッタ装置のシャッタカーテンを構成するスラットと樹脂キャップ（ボス部）との関係（線状体が縮んでおり隣接するスラットの間が嵌合している状態）を示した概略断面図である。
【図５】本実施形態におけるボス部とリンクとの接合の様子を示す概略下面図である。
【図６】本実施形態に係るシャッタ装置のシャッタカーテンを構成するスラットと樹脂キャップ（ボス部）との関係（線状体が伸びており隣接するスラットの間に隙間が生じ且つ隣接するスラットの間で当接して回動が制限されている状態）を示した概略断面図である。
【図７】本実施形態におけるボス部とリンクとの接合の様子を示す概略裏面図（ａ）、（ａ）のＡ−Ａ断面図である。
【図８】本実施形態の樹脂キャップとスラットとの位置関係を説明する概略断面図である。
【発明を実施するための形態】
【００１６】
以下、本発明の実施形態について図面を参照して具体的に説明する。複雑化を避けるため、図面ではハッチングが一部省略されている場合がある。図１は、建築物等の構造物の開口を開閉するように、構造物に据え付けられるシャッタ装置の正面図を模式的に示す。シャッタ装置は、スラット１を上下方向に沿って複数個並設して形成されたシャッタカーテン２１と、シャッタカーテン２１を巻き取る巻取体２２と、巻取体２２を回転させる駆動機構の主要素であるモータ２３と、巻取体２２を回転可能に保持し、スラット１を収納する収納体２４と、シャッタカーテン２１の両側の側方に設けられた２個のガイドレール２５とを備えている。シャッタ装置には、モータ２３を制御する制御装置（図示略）が設けられている。制御装置に設けられた操作用のスイッチ（図略）を操作することによりモータ２３が駆動し、巻取体２２が一方向へ回転すると、シャッタカーテン２１は巻取体２２に巻き取られる。スイッチによりモータ２３が逆動し、巻取体２２が逆方向に回転すると、巻取体２２に巻き取られていたシャッタカーテン２１が巻き下ろされる。ガイドレール２５は、シャッタカーテン２１の端部の昇降を案内する。スラット１は、２個のガイドレール２５間において、左右方向（矢印Ｘ方向）に沿って延設されている。図１はあくまで模式図を示しており、スラット１の数は図１に限定されるものではない。図１に示されるように、シャッタカーテン２１の左右両側には、チェーン状の線状体２６がそれぞれ設けられている。線状体２６は、シャッタ装置の上下方向（矢印Ｙ方向）に隣接する各スラット１の端部を連結すると共に、上下方向に沿って伸縮可能とされている。
【００１７】
図２は、シャッタカーテン２１の裏面（内側）を示す。シャッタカーテン２１は、スラット１と、各スラット１の左右両端部に取り付けられる樹脂キャップ３と、各樹脂キャップ３を介して各スラット１の左右両端部のそれぞれに取り付けられるリンク（連結部材）４とを備える。リンク４が直列に連結したものが線状体２６である。線状体２６はその直列方向に一定の長さだけ伸縮可能である。
【００１８】
スラット１は、図３に示されるように、上下方向で中央に向かうほど外側に緩やかに出ている弧形状をしている。スラット１の重心１０は、スラット１が直立状態のとき、スラット１の上方に位置する回動軸（樹脂キャップ３のボス部３２）より下方に位置し、且つ、外側に位置する。スラット１は、シャッタカーテン２１が最後まで巻き下ろされたときに、線状体２６が縮んで直立状態の上下に隣接するスラット１同士の距離も縮まって嵌合する。そして、シャッタカーテン２１を巻取る時には、まず線状体２６が伸びていき、それに従い上下方向に隣接するスラットの間の距離が開いてその間の嵌合が外れる。このように上下方向に隣接するスラット１間で嵌合できるように、スラット１の下方１１の構造は、緩やかに内側に傾斜し端部１１ａが水平に曲がった形状をしている。スラット１の上方１２の構造は、内側に緩やかに膨らんだ形状をしている。上下に位置するスラット１同士が嵌合する際、スラット１の下方１１が下に位置するスラット１の上方１２の外面１２ａに当接し、線状体２６が縮んで行くのに伴って、外面１２ａの形状に沿って、上下位置を詰めていくことになる。図４に示されるように、スラット１は、下方１１の端部１１ａが下に位置するスラット１の上方１２の平坦部１２ｂに当接する。また、上方１２は、上に位置するスラット１の下方１１より上側に位置する内側に突出した水平突出部１３に当接する。スラット１は、隣接するスラット１間で嵌合して形成する上下端部が略三角形状を為すため、ガタがなく、しっかりと嵌合される。
【００１９】
本実施形態のシャッタ装置は、シャッタカーテン２１が巻き下ろされている状態（図３：巻き下ろしのときにシャッタカーテン２１の先端が開口の下に至った瞬間の状態。線状体２６は伸びきった状態であり、上下方向に隣接するスラット１の間は嵌合していない）で、スラット１がスラット毎に回動して、閉状態から開状態へと操作可能である。シャッタカーテン２１を更に巻き下ろしていくとシャッタカーテン２１の先端が開口の下に当接しているため、線状体２６が縮んで行くことになる。その結果、スラット１の間の距離も縮む。
【００２０】
スラット１は、図５に示されるように、樹脂キャップ３を介してリンク４に枢支されており、樹脂キャップ３のボス部３２を回動軸としてリンク４に対して相対回動する。閉状態はスラット１が直立しており、開状態は直立状態のスラット１の下端が外側に移動した所定角度で停止した状態である。スラット１は、様々な角度で回動を停止できる仕様としたり、何種類かの所定角度で停止できる仕様とすることができる。なお、スラット１の回動は、図示されていない別の開閉機構によって随時行われる。例えば、図２のようにスラット１の係止ピン３４をガイドレール２５内に設けられた制御板（図示せず）によって係止する。そして、モータ２３によって巻取体２２を回転させて巻き取り操作を行うと、シャッタカーテン２１が上昇し、スラット１が係止ピン３４を軸に回動する。
【００２１】
本実施形態のシャッタ装置は、巻き上げ途中や巻き下ろし途中において線状体２６が伸びきった状態では、図６に示されるように、上下に位置するスラット１同士の上方１２と下方１１とが当接することで、スラット１が直立状態を維持することができる。
【００２２】
リンク４は、図７に示されるように、長穴４１と、ピン３３が挿入される係合穴４２と、長穴４１に挿入される長穴挿入部４３と、壁４４とを有する。長穴４１は、リンク４の上方に位置し、上下方向に細長い形状をもつ。係合穴４２は、左右方向に延設されるピン３３が挿入される。長穴挿入部４３は、左右方向外側に向けて突出しており、下方に位置する別のリンク４の長穴４１に左右方向内側から挿入される。壁４４は、上下方向でリンク４の中央部分且つ外側に位置する外側壁４４１と内側に位置する内側壁４４２とをもつ。壁４４はそれぞれスラット１側に突出している。樹脂キャップ３は、スラット１の両端部の一方に係合する本体部３１と、本体部３１から左右方向外側（リンク４側）に向けて突出するボス部３２とを有する。ボス部３２には、軸心にリンク４側からピン３３が挿入されている。ピン３３はリンク４側の端部がリンク４の係合穴４２に挿入される。スラット１は樹脂キャップ３の本体部３１にその端部が固定される。樹脂キャップ３はボス部３２にてリンク４に枢支されている。従ってスラット１はリンク４に対して樹脂キャップ３のボス部３２（ピン３３）を回動中心として枢支される。ボス部３２は、リンク４側の端部に拡径方向において外側に突出した突起部３２１を有する。突起部３２１はスラット１が直立状態でリンク４の外側壁４４１の上方に開状態から閉状態に向けて回動する方向で当接し、それ以上の回動を制限する。その結果、直立状態のスラット１の下端がそれ以上内側に移動するのを規制する。逆に、スラット１の下端が外側に移動するのは規制しない。
【００２３】
樹脂キャップ３の本体部３１は、図８に示されるように、下方がスラット１の端部１１ａより下側に若干突出している樹脂下方３１１をもち、更には上方がスラット１の平坦部１２ｂより上方に若干突出している樹脂上方３１２を有する。図８では、部材を見分けやすいように、断面で表されているスラット１を断面を示す斜線で表示している。スラット１が直立状態となる際、上下に位置する樹脂キャップ３の本体部３１同士がスラット１よりも先に当接する。樹脂下方３１１及び樹脂上方３１２の形状は、スラット１同士の嵌合を邪魔するほど突出しておらず、また、スラット１同士が当接後、嵌合するまでの間を邪魔しない形状である。なお、樹脂上方３１２と樹脂下方３１１とはいずれか一方だけが形成されているような形態であってもスラット１よりも先に当接するような関係であれば良い。
【００２４】
本実施形態のシャッタ装置によれば、スラット１は、直立状態における重心位置が回動軸より下方で外側に位置するため、自重によるモーメントによって常時、重心が回動軸の下方に移動しようとする。そのため、重心より下方に位置するスラットの下端が内側に移動するため、スラットは閉方向に常に付勢される。本実施形態の１シャッタ装置には、スラット１を一方向に常時付勢するスプリングなどは取り付けられていない。よって、スプリングなどの部品点数が削減でき、スプリングなどを取り付ける組み立て工数も削減できる。
【００２５】
また、スラット１は、以下の（１）及び（２）の構成のうち少なくとも１つを有することで、スラット１の直立状態を維持することができる。（１）上下に位置するスラット同士が当接する。（２）リンク４の壁４４が樹脂キャップ３のボス部３２の突起部３２１に当接する。
【００２６】
その他に、樹脂キャップ３がスラット１同士よりも先に当接することで、スラット１同士の当たり音を緩和することができる。
【００２７】
（その他の実施形態）
以上、本発明の好適な実施形態について説明したが、本発明は上記実施形態に限定されるものではない。例えば、スラット１はソリッド形状をもつもので説明を行ったが、ホロー形状をもつスラットを採用しても良い。
【符号の説明】
【００２８】
１：スラット、  １０：重心、  １１：上方、  １１ａ：端部、  １２：下方、
１２ａ：外面、  １２ｂ：平坦部、  １３：水平突出部、
２１：シャッタカーテン、  ２２：巻取体、  ２３：モータ、  ２４：収納体、
２５：ガイドレール、  ２６：線状体、
３：樹脂キャップ、  ３１：本体、  ３１１：樹脂下方、  ３１２：樹脂上方、
３２：ボス部、  ３２１：突起部、  ３３：ピン、  ３４：係止ピン、
４：リンク、  ４１：長穴、  ４２：係合穴、  ４３：長穴挿入部、  ４４：壁、
４４１：外側壁、  ４４２内側壁。
【図１】
0005971514.tif 000002
【図２】
0005971514.tif 000003
【図３】
0005971514.tif 000004
【図４】
0005971514.tif 000005
【図５】
0005971514.tif 000006
【図６】
0005971514.tif 000007
【図７】
0005971514.tif 000008
【図８】
0005971514.tif 000009